(57)【要約】【課題】  撮像装置本体に設けられた表示部の表示内容に応じて、撮像装置本体に設けられた表示部への表示と外部モニター出力部への出力とがそれぞれ適切な状態となるように制御することのできる撮像装置を提供する。【解決手段】  撮像した画像を表示する表示部を有する撮像装置であって、外部モニターに信号を出力する外部モニター出力部と、前記表示部の表示内容を切り換える切換手段と、前記切換手段によって前記表示部の表示内容が画像表示に切り換えられている場合には、前記外部モニター出力部に前記画像表示に対応する信号を出力し、前記切換手段によって前記表示部の表示内容が情報表示に切り換えられている場合には、前記外部モニター出力部に前記情報表示に対応する信号を出力しないように制御する制御手段とを有する。【選択図】  図８
2007259080.tif 000002
【特許請求の範囲】
【請求項１】
撮像した画像を表示する表示部を有する撮像装置であって、
外部モニターに信号を出力する外部モニター出力部と、
前記表示部の表示内容を切り換える切換手段と、
前記切換手段によって前記表示部の表示内容が画像表示に切り換えられている場合には、前記外部モニター出力部に前記画像表示に対応する信号を出力し、前記切換手段によって前記表示部の表示内容が情報表示に切り換えられている場合には、前記外部モニター出力部に前記情報表示に対応する信号を出力しないように制御する制御手段とを有することを特徴とする撮像装置。
【請求項２】
撮像した画像を表示する表示部を有する撮像装置であって、
外部モニターに信号を出力する外部モニター出力部と、
前記表示部の表示内容を切り換える切換手段と、
前記切換手段によって前記表示部の表示内容が画像表示から情報表示に切り換えられた場合に、前記外部モニター出力部から前記情報表示に対応する信号を出力せずに、前記画像表示に対応する信号の出力を継続するように制御する制御手段とを有することを特徴とする撮像装置。
【請求項３】
前記情報表示は、設定された撮影条件または撮影モードに関する情報を表示する表示状態であることを特徴とする請求項１または２に記載の撮像装置。
【請求項４】
前記画像表示は、直前に撮影された画像を表示する表示状態であることを特徴とする請求項１ないし３のいずれかに記載の撮像装置。
【請求項５】
ファインダーを有する撮像装置であって、
撮像した画像を表示する表示部と、
外部モニターに信号を出力する外部モニター出力部と、
前記ファインダーへの接眼を検出する接眼検出手段と、
前記接眼検出手段によって前記ファインダーへの接眼を検出した場合に、前記表示部への表示を停止する一方で、前記外部モニター出力部への信号出力は継続するように制御する制御手段とを有することを特徴とする撮像装置。
【請求項６】
撮像した画像を表示する表示部と、外部モニターに信号を出力する外部モニター出力部を有する撮像装置の制御方法であって、
前記表示部の表示内容を切り換える切換ステップと、
前記切換ステップにて前記表示部の表示内容が画像表示に切り換えられている場合には、前記外部モニター出力部に前記画像表示に対応する信号を出力し、前記切換ステップによって前記表示部の表示内容が情報表示に切り換えられている場合には、前記外部モニター出力部に前記情報表示に対応する信号を出力しないように制御する制御ステップとを有することを特徴とする撮像装置の制御方法。
【請求項７】
撮像した画像を表示する表示部と、外部モニターに信号を出力する外部モニター出力部を有する撮像装置の制御方法であって、
前記表示部の表示内容を切り換える切換ステップと、
前記切換ステップにて前記表示部の表示内容が画像表示から情報表示に切り換えられた場合に、前記外部モニター出力部から前記情報表示に対応する信号を出力せずに、前記画像表示に対応する信号の出力を継続するように制御する制御ステップとを有することを特徴とする撮像装置の制御方法。
【請求項８】
ファインダーへの接眼を検出する接眼検出手段と、撮像した画像を表示する表示部と、外部モニターに信号を出力する外部モニター出力部を有する撮像装置の制御方法であって、
前記接眼検出手段にてファインダーへの接眼を検出する接眼検出ステップと、
前記接眼検出ステップにてファインダーへの接眼を検出した場合に、前記表示部への表示を停止する一方で、前記外部モニター出力部への信号出力は継続するように制御する制御ステップとを有することを特徴とする撮像装置の制御方法。
【請求項９】
請求項６ないし８のいずれかに記載の撮像装置の制御方法をコンピュータに実行させるためのプログラム。
【発明の詳細な説明】
【技術分野】
【０００１】
本発明は、撮像装置に関するもので、特に撮像した画像を撮像装置本体に設けられた表示部に表示するとともに、外部モニターに出力することの可能な撮像装置に関するものである。
【背景技術】
【０００２】
液晶表示部と外部モニター出力端子とを備え、撮像画像を液晶表示部と外部モニター出力端子に接続された外部モニターとに表示することのできるデジタルカメラが知られている。
【０００３】
特許文献１には、外部モニター出力端子にＴＶモニタ等の外部モニターが接続されているか否かを検出し、外部モニターが接続されているときは、カメラ本体の液晶表示部への画像の表示を禁止し、外部モニターにのみ画像を表示させるデジタルカメラが開示されている。
【０００４】
特許文献２には、覗き込み型の電子ビューファインダ及びこれよりも大きな表示画面を持つ背面液晶パネルを有し、電子ビューファインダにはＣＣＤより出力された画像をスルー画像として表示し、背面液晶パネルには再生モード時には電子ビューファインダの表示画像とは異なる画像や電子カメラの状態を示す情報を表示することが開示されている。
【特許文献１】特開平９−２７０９４４号公報
【特許文献２】特開２００１−１６９１５０号公報
【発明の開示】
【発明が解決しようとする課題】
【０００５】
しかしながら、通常のデジタルカメラでは、カメラ本体の液晶表示部の表示内容と外部モニターの表示内容が同じもしくは、一部の文字情報のみが異なるだけであった。カメラ本体の液晶表示部は撮像画像の表示だけでなく、カメラを操作するために必要な情報を表示すべきであるが、それらの表示は外部モニターに表示する必要はない。したがって、液晶表示部への出力と外部モニターへの出力を同じとすると、使い勝手の悪いデジタルカメラとなってしまうという問題があった。
【０００６】
本発明は、上記課題に鑑みてなされたものであり、撮像装置本体に設けられた表示部の表示内容に応じて、撮像装置本体に設けられた表示部への表示と外部モニター出力部への出力とがそれぞれ適切な状態となるように制御することのできる撮像装置を提供することを目的とする。
【課題を解決するための手段】
【０００７】
本発明の撮像装置は、撮像した画像を表示する表示部を有する撮像装置であって、外部モニターに信号を出力する外部モニター出力部と、前記表示部の表示内容を切り換える切換手段と、前記切換手段によって前記表示部の表示内容が画像表示に切り換えられている場合には、前記外部モニター出力部に前記画像表示に対応する信号を出力し、前記切換手段によって前記表示部の表示内容が情報表示に切り換えられている場合には、前記外部モニター出力部に前記情報表示に対応する信号を出力しないように制御する制御手段とを有することを特徴としている。
【０００８】
本発明の撮像装置は、撮像した画像を表示する表示部を有する撮像装置であって、外部モニターに信号を出力する外部モニター出力部と、前記表示部の表示内容を切り換える切換手段と、前記切換手段によって前記表示部の表示内容が画像表示から情報表示に切り換えられた場合に、前記外部モニター出力部から前記情報表示に対応する信号を出力せずに、前記画像表示に対応する信号の出力を継続するように制御する制御手段とを有することを特徴としている。
【０００９】
本発明の撮像装置は、ファインダーを有する撮像装置であって、撮像した画像を表示する表示部と、外部モニターに信号を出力する外部モニター出力部と、前記ファインダーへの接眼を検出する接眼検出手段と、前記接眼検出手段によって前記ファインダーへの接眼を検出した場合に、前記表示部への表示を停止する一方で、前記外部モニター出力部への信号出力は継続するように制御する制御手段とを有することを特徴としている。
【発明の効果】
【００１０】
撮像装置本体に設けられた表示部の表示内容に応じて、撮像装置本体に設けられた表示部への表示と外部モニター出力部への出力とがそれぞれ適切な状態となるように制御することができる。
【００１１】
また、ファインダーへの接眼を検出した場合に、表示部への表示を停止する一方で、外部モニター出力部への信号出力は継続するように制御するので、撮像装置本体に設けられた表示部への表示と外部モニター出力部への出力とがそれぞれ適切な状態となるように制御することができる。
【発明を実施するための最良の形態】
【００１２】
本発明の第１の実施形態を、図に基づいて説明する。
【００１３】
図１は、本発明の第１の実施形態であるデジタルカメラの構成を示す図である。図１において、１００は画像処理装置である。１２は撮像素子１４への露光量を制御するためのシャッター、１４は光学像を電気信号に変換する撮像素子である。レンズ３１０に入射した光線は、一眼レフ方式によって、絞り３１２、レンズマウント３０６及び１０６、ミラー１３０、シャッター１２を介して導き、光学像として撮像素子１４上に結像することが出来る。１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１４】
２０は画像処理回路であり、Ａ／Ｄ変換器１６からのデータ或いはメモリ制御回路２２からのデータに対して所定の画素補間処理や色変換処理を行う。また、画像処理回路２０においては、必要に応じて、撮像した画像データを用いて所定の演算処理を行い、得られた演算結果に基づいてシステム制御回路５０がシャッター制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。画像処理回路２０においては、撮像した画像データを用いて所定の演算処理を行い、得られた演算結果に基づいてＴＴＬ方式のＡＷＢ（オートホワイトバランス）処理も行っている。
【００１５】
なお、本実施例においては、測距手段４２及び測光手段４６を専用に備える構成としたため、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としても良い。或いは、測距手段４２及び測光手段４６を用いてＡＦ（オートフォーカス）処理、ＡＥ（自動露出）処理、ＥＦ（フラッシュ調光）処理の各処理を行い、さらに、上記画像処理回路２０を用いたＡＦ（オートフォーカス）処理、ＡＥ（自動露出）処理、ＥＦ（フラッシュ調光）処理の各処理を行う構成としても良い。
【００１６】
２２はメモリ制御回路であり、Ａ／Ｄ変換器１６、タイミング発生回路１８、画像処理回路２０、画像表示メモリＡ２４、画像表示メモリＢ３４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリＡ２４、画像表示メモリＢ３４或いはメモリ３０に書き込まれる。
【００１７】
２４は画像表示メモリＡ、３４は画像表示メモリＢ、２６はＤ／Ａ変換器、２８はＴＦＴ  ＬＣＤ等から成る画像表示部であり、画像表示メモリＡ２４または画像表示メモリＢ３４に書き込まれた表示用の画像データはＤ／Ａ変換器２６を介して画像表示部２８により表示される。画像表示部２８は、カメラ情報及び撮影に関する情報を表示することも可能である。画像表示部２８を用いて撮像した画像データを逐次表示すれば、電子ファインダー機能を実現することが可能である。
【００１８】
画像表示部２８は、システム制御回路５０の指示により任意に表示をＯＮ／ＯＦＦすることが可能であり、表示をＯＦＦにした場合には画像処理装置１００の電力消費を大幅に低減することが出来る。３６はビデオ出力装置であり、画像表示メモリＡ２４または画像表示メモリＢ３４に書き込まれた表示用の画像データを、外部出力端子３８を通じて、外部モニターなどに画像を表示する事ができる。本実施形態では、外部出力端子３８と外部モニターとをケーブルで接続するものであるが、デジタルカメラと外部モニターとを無線接続しても構わない。その場合には、外部出力端子３８に代えて、無線送信部を備えることとなる。
【００１９】
３０は撮影した静止画像や動画像を格納するためのメモリであり、所定枚数の静止画像や所定時間の動画像を格納するのに十分な記憶量を備えている。
【００２０】
これにより、複数枚の静止画像を連続して撮影する連写撮影やパノラマ撮影の場合にも、高速かつ大量の画像書き込みをメモリ３０に対して行うことが可能となる。メモリ３０はシステム制御回路５０の作業領域としても使用することが可能である。
【００２１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２２】
４０は測光手段４６からの測光情報に基づいて、絞り３１２を制御する絞り制御手段３４０と連携しながら、シャッター１２を制御するシャッター制御手段である。４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００２３】
４４は温度計であり、撮影環境の温度を検出することができる。温度計がセンサー内にある場合はセンサーの暗電流をより正確に予想することが可能である。４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。測光手段４６は、フラッシュ４８と連携することによりＥＦ（フラッシュ調光）処理機能も有するものである。４８はフラッシュであり、ＡＦ補助光の投光機能、フラッシュ調光機能も有する。
【００２４】
なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。さらに、測距手段４２による測定結果と、撮像素子１４によって撮像した画像データを画像処理回路２０によって演算した演算結果とを共に用いてＡＦ（オートフォーカス）制御を行っても構わない。そして、測光手段４６による測定結果と、撮像素子１４によって撮像した画像データを画像処理回路２０によって演算した演算結果とを共に用いて露出制御を行っても構わない。
【００２５】
５０は画像処理装置１００全体を制御するシステム制御回路、５２はシステム制御回路５０の動作用の定数、変数、プログラム等を記憶するメモリである。
【００２６】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されており、撮影者がファインダーを覗いた時にも撮影に関する情報が認識できる構成となっている。
【００２７】
表示部５４の表示内容のうち、ＬＣＤ等に表示するものとしては、例えば、シングルショット／連写撮影表示、セルフタイマー表示、圧縮率表示、ＩＳＯ感度表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付および時刻表示、外部コンピュータとの接続状態を示す表示、等がある。
【００２８】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００２９】
５６は電気的に消去・記録可能な不揮発性メモリであり、例えばＥＥＰＲＯＭ、ＦＬＡＳＨ  ＭＥＭＯＲＹ等が用いられる。この不揮発性メモリ５６には、各種パラメータなどが格納される。６０、６２、６４及び６６は、システム制御回路５０の各種の動作指示を入力するための操作手段であり、スイッチやダイヤル、タッチパネル、視線検知によるポインティング、音声認識装置等の単数或いは複数の組み合わせで構成される。
【００３０】
ここで、これらの操作手段の具体的な説明を行う。
【００３１】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード、ストロボ投光禁止モード等の各機能撮影モードを切り替え設定することが出来る。
【００３２】
６２はシャッタースイッチＳＷ１で、不図示のシャッターボタンの第１ストロークでＯＮとなる。シャッタースイッチＳＷ１がＯＮすると、ＡＦ（オートフォーカス）処理、ＡＥ（自動露出）処理、ＡＷＢ（オートホワイトバランス）処理、ＥＦ（フラッシュ調光）処理等の動作が開始される。
【００３３】
６４はシャッタースイッチＳＷ２で、不図示のシャッターボタンの第１ストロークに続く第２ストロークでＯＮとなる。シャッタースイッチＳＷ２がＯＮとなることで、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行う圧縮伸長処理、および記録媒体２００或いは２１０に画像データを書き込む記録処理という一連の動作が行われる。
【００３４】
６６は再生スイッチで、撮影した画像をメモリ３０或いは記録媒体２００或いは２１０から読み出して画像表示部２８および外部出力端子３６によって表示する再生動作の開始を指示する。
【００３５】
７０は各種ボタンやタッチパネル等からなる操作部で、メニューボタン、メニュー移動＋（プラス）ボタン、メニュー移動−（マイナス）ボタン、再生画像移動＋（プラス）ボタン、再生画像−（マイナス）ボタン等がある。
【００３６】
また、上記プラスボタン及びマイナスボタンの各機能は、回転ダイヤルスイッチを備えることによって、より軽快に数値や機能を選択することが可能となる。
【００３７】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。
【００３８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３９】
８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４０】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４１】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００４２】
インタフェース及びコネクタとしては、ＰＣＭＣＩＡカードやＣＦ（コンパクトフラッシュ（登録商標））カード等の規格に準拠したものを用いて構成して構わない。
【００４３】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４４】
１０４は光学ファインダーであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダー機能を使用すること無しに、光学ファインダー１０４のみを用いて撮影を行うことが可能である。
【００４５】
また、表示部５４の表示内容のうち、光学ファインダー１０４内の表示部に表示するものとしては、例えば、合焦表示、撮影準備完了表示、手振れ警告表示、フラッシュ充電表示、フラッシュ充電完了表示、記録媒体書き込み動作表示、などの撮影者へ通知する以外に、シャッタースピード表示、絞り値表示、露出補正表示、ＩＳＯ感度設定値、ホワイトバランス設定値、撮影記録画質、撮影記録画像サイズ、測光方法、単写／連写撮影表示、測距点表示等の撮影に関する項目の設定値表示がある。
【００４６】
４００は接眼検知手段であり、光学ファインダー１０４を撮影者が覗きこんだことを検出することが出来る。接眼が検出された時に、画像表示手段２８の機能をＯＦＦしたり、測距手段４２や測光手段４６の動作を開始させることで、カメラを素早く撮影準備状態にすることも可能である。
【００４７】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。
【００４８】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。
【００４９】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００５０】
１３０、１３２はミラーで、レンズ３１０に入射した光線を、一眼レフ方式によって光学ファインダー１０４に導くことが出来る。なお、ミラー１３２は、クイックリターンミラーの構成としても、ハーフミラーの構成としても、どちらでも構わない。
【００５１】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００５２】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００５３】
３００は交換レンズタイプのレンズユニットである。３０６は、レンズユニット３００を画像処理装置１００と機械的に結合するレンズマウントである。レンズマウント３０６内には、レンズユニット３００を画像処理装置１００と電気的に接続する各種機能が含まれている。
【００５４】
３１０は撮影レンズ、３１２は絞りである。３２０は、レンズマウント３０６内において、レンズユニット３００を画像処理装置１００と接続するためのインタフェース、３２２はレンズユニット３００を画像処理装置１００と電気的に接続するコネクタである。
【００５５】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００５６】
３４０は測光手段４６からの測光情報に基づいて、シャッター１２を制御するシャッター制御手段４０と連携しながら、絞り３１２を制御する絞り制御手段である。３４２は撮影レンズ３１０のフォーカシングを制御する測距制御手段、３４４は撮影レンズ３１０のズーミングを制御するズーム制御手段である。
【００５７】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００５８】
次に、図２〜図８を参照して、本発明の第１の実施形態であるデジタルカメラの動作を説明する。
【００５９】
図２は、第１の実施形態であるデジタルカメラのシステム制御回路５０のメイン動作処理フローチャートである。
【００６０】
システム制御回路５０は、画像表示部２８に表示を行う設定になっているかどうかを判断し（Ｓ１００）、画像表示部２８に表示を行う設定になっていれば、直前に撮影した画像を画像表示メモリＡ２４に格納し、画像表示メモリＡ２４に格納される画像を画像表示部２８に表示する（Ｓ１０１）。画像表示部２８に表示を行う設定になっていなければ、操作ＳＷに応じた処理を行った後（Ｓ１０２）、Ｓ１００に戻る。
【００６１】
シャッターＳＷ１がオンされると（Ｓ１０３）、撮影モードへと移行し、撮影モード時の表示処理を実行し（Ｓ１０４）、Ｓ１０５に進む。また、Ｓ１０３にて、撮影モードへの移行を行わない場合、Ｓ１０９へ進む。
【００６２】
シャッターＳＷ２がオンされると（Ｓ１０５）、撮影前の表示処理を実行し（Ｓ１０６）、撮影動作（Ｓ１０７）を開始し、撮影動作後の撮影画像表示処理を実行し（Ｓ１０８）、Ｓ１０９へ進む。
【００６３】
次にシステム制御回路５０はメニューＳＷの操作を判定し（Ｓ１０９）、オンされた場合はメニュー表示処理を実行し（Ｓ１１０）、Ｓ１１１へ進む。
【００６４】
次にシステム制御回路５０は再生ＳＷ６６の操作を判定し（Ｓ１１１）、再生モードに設定される場合は、再生表示処理を実行し（Ｓ１１２）、Ｓ１００へ戻りメインフローを繰り返し実行する。
【００６５】
図３は、図２のＳ１０４における「撮影モード時の表示処理」の詳細なフローチャートを示す。
【００６６】
システム制御回路５０は、このカメラの撮影設定に基づき撮影情報を画像表示メモリＢ３４に格納する（Ｓ３０１）。
【００６７】
ここで、画像表示メモリＢ３４へは、システム制御部５０で作成されるカメラの状態を示す各種の撮影情報、例えば、シャッター秒時、絞り値、記録画質、電池残量及び撮影可能枚数などの情報が、データとして組み込まれる。
【００６８】
続いて、画像表示メモリＢ３４の撮影情報を画像表示部２８に表示を行う（Ｓ３０２）。
【００６９】
次にシステム制御回路５０は、外部出力端子３８に外部モニターが接続されているかを判定する（Ｓ３０３）。
【００７０】
外部出力端子３８に外部モニターが接続されていない場合、Ｓ３０５に進み、ビデオ出力を停止（Ｓ３０５）してしてメインフローのＳ１０５へ進む。外部モニターが接続されている場合、Ｓ３０４に進み、画像表示メモリＡ２４に格納される画像を外部出力端子３８へ出力してメインフローのＳ１０５へ進む。
【００７１】
図４は、図２のＳ１０６における「撮影前の表示処理」の詳細なフローチャートを示す。
【００７２】
システム制御回路５０は、画像表示部２８の表示を停止する（Ｓ４０１）。
【００７３】
次にシステム制御回路５０は、外部出力端子３８に外部モニターが接続されているかを判定する（Ｓ４０２）。
【００７４】
外部出力端子３８に外部モニターが接続されていない場合、Ｓ４０４に進み、ビデオ出力を停止（Ｓ４０４）してしてメインフローのＳ１０７へ進む。外部出力端子３８に外部モニターが接続されている場合、Ｓ４０３に進み、撮影中信号（ミュート画面）を外部出力端子３８へ出力してメインフローのＳ１０７へ進む。
【００７５】
図５は、図２のＳ１０８における「撮影前の表示処理」の詳細なフローチャートを示す。
【００７６】
システム制御回路５０は、直前に撮影した画像を画像表示メモリＡ２４に格納する（Ｓ５０１）。続いて、画像表示メモリＡ２４の撮影画像を画像表示部２８に表示を行う（Ｓ５０２）。
【００７７】
次にシステム制御回路５０は、外部出力端子３８に外部モニターが接続されているかを判定する（Ｓ５０３）。
【００７８】
外部出力端子３８に外部モニターが接続されていない場合、Ｓ５０５に進み、ビデオ出力を停止（Ｓ５０５）してしてメインフローのＳ１０９へ進む。外部出力端子３８に外部モニターが接続されている場合、Ｓ５０４に進み、画像表示メモリＡ２４に格納されている直前の撮影画像を外部出力端子３８へ出力してメインフローのＳ１０９へ進む。
【００７９】
図６は、図２のＳ１１０における「メニュー表示処理」の詳細なフローチャートを示す。
【００８０】
システム制御回路５０は、このカメラのメニュー表示情報を画像表示メモリＢ３４に格納する（Ｓ６０１）。続いて、画像表示メモリＢ３４のメニュー表示情報を画像表示部２８に表示を行う（Ｓ６０２）。
【００８１】
次にシステム制御回路５０は、外部出力端子３８に外部モニターが接続されているかを判定する（Ｓ６０３）。
【００８２】
外部出力端子３８に外部モニターが接続されていない場合、Ｓ６０５に進み、ビデオ出力を停止（Ｓ６０５）してしてメインフローのＳ１１１へ進む。外部出力端子３８に外部モニターが接続されている場合、Ｓ６０４に進み、画像表示メモリＡ２４に格納される画像を外部出力端子３８へ出力してメインフローのＳ１１１へ進む。
【００８３】
図７は、図２のＳ１１２における「再生表示処理」の詳細なフローチャートを示す。
【００８４】
システム制御回路５０は、記録媒体２００または２１０に記録されている画像を画像表示メモリＡ２４に格納する（Ｓ７０１）。続いて、画像表示メモリＡ２４の撮影情報を画像表示部２８に表示を行う（Ｓ７０２）。
【００８５】
次にシステム制御回路５０は、外部出力端子３８に外部モニターが接続されているかを判定する（Ｓ７０３）。外部出力端子３８に外部モニターが接続されていない場合、Ｓ７０５に進み、ビデオ出力を停止（Ｓ７０５）してしてメインフローのＳ１０１へ戻る。外部出力端子３８に外部モニターが接続されている場合、Ｓ７０４に進み、画像表示メモリＡ２４に格納される画像を外部出力端子３８へ出力してメインフローのＳ１００へ戻る。
【００８６】
図８は、第１の実施形態のシーケンス図である。ＳＷ１オンされるとカメラ本体の画像表示部２８には、撮影情報表示をする一方で、外部出力端子３８に接続される外部モニターには前撮影の撮影画像の表示を継続する。図中の「ＱＲ表示」とは、直前に撮影した画像を再生するクイックレビュー表示の略である。
【００８７】
（第２の実施形態）
次に、本発明の第２の実施形態を、図に基づいて説明する。
【００８８】
本発明の第２の実施形態であるデジタルカメラの構成は図１に示した第１の実施形態であるデジタルカメラの構成と同様であるので、説明を省略する。
【００８９】
次に、図９〜図１３のフローチャートおよび図１４を参照して、本発明の第２の実施の形態を説明する。
【００９０】
図９は、第２の実施形態であるデジタルカメラのシステム制御回路５０のメイン動作処理フローチャートである。
【００９１】
システム制御回路５０は、接眼検知機能のオンオフ設定状態を判断し（Ｓ９００）、接眼検知機能がオンに設定されていたならば、直前に撮影した画像を画像表示メモリＡ２４に格納し、画像表示メモリＡ２４に格納される画像を画像表示部２８に表示する（Ｓ９０１）。接眼検知機能がオフ設定されている場合は、操作ＳＷに応じた処理を行った後（Ｓ９０２）、Ｓ９００に戻る。
【００９２】
シャッターＳＷ１がオンされると（Ｓ９０３）、撮影モードへと移行し、撮影モード時の表示処理を実行し（Ｓ９０４）、Ｓ９０５に進む。また、Ｓ９０３にて、撮影モードへの移行を行わない場合、Ｓ９０９へ進む。シャッターＳＷ２がオンされると（Ｓ９０５）、撮影前の表示処理を実行し（Ｓ９０６）、撮影動作（Ｓ９０７）を開始し、撮影動作後の撮影画像表示処理を実行し（Ｓ９０８）、Ｓ９０９へ進む。次にシステム制御回路５０はメニューＳＷの操作を判定し（Ｓ９０９）、オンされた場合はメニュー表示処理を実行し（Ｓ９１０）、Ｓ９１１へ進む。
【００９３】
次にシステム制御回路５０は再生ＳＷ６６の操作を判定し（Ｓ９１１）、再生モードに設定される場合は、再生表示処理を実行し（Ｓ９１２）、Ｓ９００へ戻りメインフローを繰り返し実行する。
【００９４】
図１０は、図９のＳ９０４における「撮影モード時の表示処理」の詳細なフローチャートを示す。
【００９５】
システム制御回路５０は、このカメラの撮影設定に基づき撮影情報を画像表示メモリＢ３４に格納する（Ｓ１００１）。ここで、画像表示メモリＢ３４へは、システム制御部５０で作成されるカメラの状態を示す各種の撮影情報、例えば、シャッター秒時、絞り値、記録画質、電池残量及び撮影可能枚数などの情報が、データとして組み込まれる。
【００９６】
次に接眼検知ＳＷの状態を判別し（Ｓ１００２）、オン検出された場合は、画像表示部２８の表示をオフする（Ｓ１００３）。接眼検知ＳＷが検出されない場合は、画像表示メモリＢ３４の撮影情報を画像表示部２８に表示を行う（Ｓ１００４）。
【００９７】
次にシステム制御回路５０は、外部ビデオ出力端子に外部モニターが接続されているかを判定する（Ｓ１００５）。外部モニターが接続されていない場合、Ｓ１００７に進み、ビデオ出力を停止（Ｓ１００７）してしてメインフローのＳ９０５へ進む。外部モニターが接続されている場合、Ｓ１００６に進み、直前に撮影した画像を画像表示メモリＡ２４に格納し、画像表示メモリＡ２４に格納される画像をビデオ出力端子へ出力してメインフローのＳ９０５へ進む。
【００９８】
図９のＳ９０６における「撮影前の表示処理」の詳細は前述した第１の実施形態の図４に示したフローチャートと同様であるので、説明を省略する。
【００９９】
図１１は、図９のＳ９０８における「撮影前の表示処理」の詳細なフローチャートを示す。
【０１００】
システム制御回路５０は、直前に撮影した画像を画像表示メモリＡ２４に格納撮影された画像を画像表示メモリＡ２４に格納する（Ｓ１１０１）。
【０１０１】
次に接眼検知ＳＷの状態を判別し（Ｓ１１０２）、オン検出された場合は、画像表示部２８の表示をオフする（Ｓ１１０３）。接眼検知ＳＷが検出されない場合は、画像表示メモリＡ２４の撮影画像を画像表示部２８に表示を行う（Ｓ１１０４）。
【０１０２】
次にシステム制御回路５０は、外部出力端子３８に外部モニターが接続されているかを判定する（Ｓ１１０５）。外部出力端子３８に外部モニターが接続されていない場合、Ｓ１１０７に進み、ビデオ出力を停止（Ｓ１１０７）してしてメインフローのＳ９０９へ進む。外部出力端子３８に外部モニターが接続されている場合、Ｓ１１０６に進み、画像表示メモリＡ２４に格納されている画像を外部出力端子３８へ出力してメインフローのＳ９０９へ進む。
【０１０３】
図１２は、図９のＳ９１０における「メニュー表示処理」の詳細なフローチャートを示す。
【０１０４】
システム制御回路５０は、このカメラのメニュー表示情報を画像表示メモリＢ３４に格納する（Ｓ１２０１）。
【０１０５】
次に接眼検知ＳＷの状態を判別し（Ｓ１２０２）、オン検出された場合は、画像表示部２８の表示をオフする（Ｓ１２０３）。接眼検知ＳＷが検出されない場合は、画像表示メモリＢ３４に格納されているメニュー表示情報を画像表示部２８に表示を行う（Ｓ１２０４）。
【０１０６】
次にシステム制御回路５０は、外部出力端子３８に外部モニターが接続されているかを判定する（Ｓ１２０５）。外部出力端子３８に外部モニターが接続されていない場合、Ｓ１２０７に進み、ビデオ出力を停止（Ｓ１２０７）してしてメインフローのＳ９１１へ進む。外部出力端子３８に外部モニターが接続されている場合、Ｓ１２０６に進み、直前に撮影した画像を画像表示メモリＡ２４に格納し、画像表示メモリＡ２４に格納される画像を外部出力端子３８へ出力してメインフローのＳ９１１へ進む。
【０１０７】
図１３は、図９のＳ９１２における「再生表示処理」の詳細なフローチャートを示す。
【０１０８】
システム制御回路５０は、記録媒体２００または２１０に記録されている画像を画像表示メモリＡ２４に格納する（Ｓ１３０１）。
【０１０９】
次に接眼検知ＳＷの状態を判別し（Ｓ１３０２）、接眼が検出された場合は、画像表示部２８の表示をオフする（Ｓ１３０３）。接眼が検出されない場合は、画像表示メモリＡ２４の再生画像を画像表示部２８に表示を行う（Ｓ１３０４）。次にシステム制御回路５０は、外部出力端子３８に外部モニターが接続されているかを判定する（Ｓ１３０５）。外部出力端子３８に外部モニターが接続されていない場合、Ｓ１３０７に進み、ビデオ出力を停止（Ｓ１３０７）してしてメインフローのＳ９００へ戻る。外部出力端子３８に外部モニターが接続されている場合、Ｓ１３０６に進み、画像表示メモリＡ２４に格納される画像を外部出力端子３８へ出力してメインフローのＳ９００へ戻る。
【０１１０】
図１４は、第２の本実施形態のシーケンス図である。接眼検知ＳＷがオンされるとカメラ本体の画像表示部２８は表示を停止する一方で、外部出力端子３８に接続される外部モニターには前撮影の撮影画像の表示を継続する。図中の「ＱＲ表示」とは、直前に撮影した画像を再生するクイックレビュー表示の略である。
【０１１１】
以上説明したように、本発明においては、操作手段の操作に基づき、カメラ本体の表示手段への表示が撮影または再生画像以外の画面出力に切換わる場合でも、一方で、外部モニター端子への出力信号は、撮影または再生画像の表示を継続させる様に構成しており、使い勝手のよいデジタルカメラを提供することができる。
【０１１２】
なお、実施例の説明に於いては、カメラ本体の表示手段への表示と外部モニター表示の内容が切り替わる構成で説明を行っているが、メニュー設定にて、カメラ本体の表示手段への表示と外部モニター表示の内容を同一にする事も可能な構成であっても構わない。
【図面の簡単な説明】
【０１１３】
【図１】本発明の第１の実施形態であるデジタルカメラの構成図。
【図２】本発明の第１の実施形態であるデジタルカメラのフローチャート。
【図３】本発明の第１の実施形態であるデジタルカメラの「撮影モード時の表示」サブルーチンのフローチャート。
【図４】本発明の第１の実施形態であるデジタルカメラの「撮影前の表示」サブルーチンのフローチャート。
【図５】本発明の第１の実施形態であるデジタルカメラの「撮影後の表示」サブルーチンのフローチャート。
【図６】本発明の第１の実施形態であるデジタルカメラの「メニュー表示」サブルーチンのフローチャート。
【図７】本発明の第１の実施形態であるデジタルカメラの「再生表示」サブルーチンのフローチャート。
【図８】本発明の第１の実施形態であるデジタルカメラのシーケンス図。
【図９】本発明の第２の実施形態であるデジタルカメラの主ルーチンのフローチャート。
【図１０】本発明の第２の実施形態であるデジタルカメラの「撮影モード時の表示」サブルーチンのフローチャート。
【図１１】本発明の第２の実施形態であるデジタルカメラの「撮影後の表示」サブルーチンのフローチャート。
【図１２】本発明の第２の実施形態であるデジタルカメラの「メニュー表示」サブルーチンのフローチャート。
【図１３】本発明の第２の実施形態であるデジタルカメラの「再生表示」サブルーチンのフローチャート。
【図１４】本発明の第２の実施形態であるデジタルカメラのシーケンス図。
【符号の説明】
【０１１４】
１４  撮像素子
２０  画像処理回路
２２  メモリ制御回路
２４  画像表示メモリＡ
２８  画像表示部
３２  画像圧縮・伸長回路
３４  画像表示メモリＢ
３６  ビデオ出力装置
３８  外部出力端子
５０  システム制御回路
６０  モードダイアルスイッチ
６２  シャッタースイッチＳＷ１
６４  シャッタースイッチＳＷ２
６６  再生スイッチ
１０４  光学ファインダ
４００  接眼検知手段
【図１】
2007259080.tif 000003
【図２】
2007259080.tif 000004
【図３】
2007259080.tif 000005
【図４】
2007259080.tif 000006
【図５】
2007259080.tif 000007
【図６】
2007259080.tif 000008
【図７】
2007259080.tif 000009
【図８】
2007259080.tif 000010
【図９】
2007259080.tif 000011
【図１０】
2007259080.tif 000012
【図１１】
2007259080.tif 000013
【図１２】
2007259080.tif 000014
【図１３】
2007259080.tif 000015
【図１４】
2007259080.tif 000016